(57)【要約】【課題】高価な設備を使用することなく、容易に止水剤を複数の電線の外周に塗布することができる止水剤の塗布方法を提供する。【解決手段】本発明の止水剤の塗布方法は、電線束を構成する複数の電線２の止水剤７を塗布する部分を一対の位置決め具３を用いて整列させ、これら複数の電線２の前記部分の近傍に、ゴムにより袋状に構成された袋６内に止水剤７が充填されているとともに袋６が密閉された止水部材１Ａを位置付け、そして、袋６を、先の尖った工具４で突き破って破裂させることにより複数の電線２の外周に止水剤７を塗布する方法である。【選択図】図３
2009211911.tif 000002
【特許請求の範囲】
【請求項１】
複数の電線の外周に止水剤を塗布する方法であって、
前記複数の電線の前記止水剤を塗布する部分を互いに散らして位置付け、これら複数の電線の前記部分の近傍に、ゴムにより袋状に構成された袋内に前記止水剤が充填されているとともに前記袋が密閉された止水部材を位置付け、そして、前記袋を破裂させることにより前記複数の電線の外周に前記止水剤を塗布することを特徴とする止水剤の塗布方法。
【請求項２】
前記袋を、先の尖った工具で突き破る、または切り裂くことにより当該袋を破裂させることを特徴とする請求項１に記載の止水剤の塗布方法。
【請求項３】
前記袋を、前記複数の電線ごと一対の挟持部材間に挟んで、これら一対の挟持部材を互いに近付けて前記袋を強圧することにより当該袋を破裂させることを特徴とする請求項１に記載の止水剤の塗布方法。
【請求項４】
複数の電線の外周に止水剤を塗布する際に用いられる止水部材であって、
ゴムにより袋状に構成され、密閉された袋と、該袋内に充填された１回の止水剤塗布工程に用いられる量の前記止水剤と、を有し、そして、
前記複数の電線の前記止水剤を塗布する部分の近傍に位置付けられた状態で前記袋が破裂されることにより前記複数の電線の外周に前記止水剤が塗布されることを特徴とする止水部材。
【発明の詳細な説明】
【技術分野】
【０００１】
本発明は、複数の電線が束ねられた電線束の各電線間から液体が伝うことを防止するために、複数の電線の外周に止水剤を塗布する止水剤の塗布方法、及び、複数の電線の外周に止水剤を塗布する際に用いられる止水部材に関する。
【背景技術】
【０００２】
従来より、自動車の室内から室外へワイヤハーネスを配線するために図１５に示すようなグロメットが使用されている。同図に示すグロメット１１３は、前記室内と前記室外とを仕切るパネルPにワイヤハーネス１１１を通すためのもので、パネルPの取付孔に嵌め込んで取付孔を密閉状態に保ちながらワイヤハーネス１１１を貫通させるものである。また、このワイヤハーネス１１１は端末に端子が取り付けられた電線１１２が複数束ねられて構成されたものである。
【０００３】
上記ワイヤハーネス１１１は、毛細管現象等により電線１１２間を伝った液体が前記室内に侵入するおそれがあることから、グロメット１１３を貫通した箇所に止水処理を施すことが一般的に行われている。また、この止水処理は、例えば図１６に示す方法により複数の電線１１２の外周に止水剤が塗布され、これら複数の電線１１２がシート１１５により巻き締められて束状に整形され、該シート１１５がテープ１１７により固定されることによる処理（特許文献１を参照。）である。
【０００４】
また、図１６に示す止水剤の塗布方法は、複数の電線１１２を上下一列に整列させ、これら複数の電線１１２の両側に止水剤塗布装置１５２の一対のノズル１５３を配置して、これら一対のノズル１５３を止水剤を噴射しながら下から上に移動させることにより、複数の電線１１２の外周に順に止水剤を塗布する塗布方法である。また、この止水剤塗布装置１５２は、止水剤の入ったペール缶から止水剤を汲み上げるポンプと、前記止水剤を一定量ずつ前記ノズル１５３に供給する定量供給装置と、前記ノズル１５３と、を備えた構成の装置である。
【特許文献１】特開２００７−２６５７４８号公報
【発明の開示】
【発明が解決しようとする課題】
【０００５】
しかしながら、上述した止水剤の塗布方法においては、専用の止水剤塗布装置１５２が必要であることから、設備にコストがかかるという問題があった。また、前述したペール缶は、一度開封した場合、大体の場合が湿気に反応して硬化を開始することから、開封後の止水剤を硬化させないように管理することが難しいという問題があった。さらに、前述したノズル１５３は、塗布作業を中断している間に内部の止水剤が硬化して詰まってしまうことを防止するために、ノズル１５３の塗出口を拭く、またはノズル１５３をパラフィンオイルに浸漬させるなどの作業が必要であり、作業数が多く煩雑であるという問題があった。
【０００６】
したがって、本発明は、高価な設備を使用することなく、容易に止水剤を複数の電線の外周に塗布することができる止水剤の塗布方法、及び、前記塗布方法に用いられる止水部材を提供することを目的とする。
【課題を解決するための手段】
【０００７】
上記目的を達成するために、請求項１に記載された発明は、複数の電線の外周に止水剤を塗布する方法であって、前記複数の電線の前記止水剤を塗布する部分を互いに散らして位置付け、これら複数の電線の前記部分の近傍に、ゴムにより袋状に構成された袋内に前記止水剤が充填されているとともに前記袋が密閉された止水部材を位置付け、そして、前記袋を破裂させることにより前記複数の電線の外周に前記止水剤を塗布することを特徴とする止水剤の塗布方法である。
【０００８】
請求項２に記載された発明は、請求項１に記載された発明において、前記袋を、先の尖った工具で突き破る、または切り裂くことにより当該袋を破裂させることを特徴とするものである。
【０００９】
請求項３に記載された発明は、請求項１に記載された発明において、前記袋を、前記複数の電線ごと一対の挟持部材間に挟んで、これら一対の挟持部材を互いに近付けて前記袋を強圧することにより当該袋を破裂させることを特徴とするものである。
【００１０】
請求項４に記載された発明は、複数の電線の外周に止水剤を塗布する際に用いられる止水部材であって、ゴムにより袋状に構成され、密閉された袋と、該袋内に充填された１回の止水剤塗布工程に用いられる量の前記止水剤と、を有し、そして、前記複数の電線の前記止水剤を塗布する部分の近傍に位置付けられた状態で前記袋が破裂されることにより前記複数の電線の外周に前記止水剤が塗布されることを特徴とする止水部材である。
【発明の効果】
【００１１】
請求項１に記載された発明によれば、複数の電線の止水剤を塗布する部分を互いに散らして位置付け、これら複数の電線の前記部分の近傍に、ゴムにより袋状に構成された袋内に前記止水剤が充填されているとともに前記袋が密閉された止水部材を位置付け、そして、前記袋を破裂させることにより前記複数の電線の外周に前記止水剤を塗布することから、高価な設備を用いずに容易に複数の電線の外周に止水剤を塗布することができるので、設備にかかるコストを低くすることができる。また、従来の設備で行う必要があった止水剤塗布装置のノズルの拭き取り作業をなくすことができ、作業数を減らすことができる。さらに、１回の止水剤塗布工程に用いられる止水剤が止水部材として部品化されていることから、従来の問題であった開封後のペール缶の管理が必要なくなる。
【００１２】
請求項２に記載された発明によれば、前記袋を、先の尖った工具で突き破る、または切り裂くことにより当該袋を破裂させることから、複雑な構成の装置を用いずに容易に複数の電線の外周に止水剤を塗布することができる。
【００１３】
請求項３に記載された発明によれば、前記袋を、前記複数の電線ごと一対の挟持部材間に挟んで、これら一対の挟持部材を互いに近付けて前記袋を強圧することにより当該袋を破裂させることから、複雑な構成の装置を用いずに容易に複数の電線の外周に止水剤を塗布することができる。
【００１４】
請求項４に記載された発明によれば、止水部材が、ゴムにより袋状に構成され、密閉された袋と、該袋内に充填された１回の止水剤塗布工程に用いられる量の前記止水剤と、を有し、そして、前記複数の電線の前記止水剤を塗布する部分の近傍に位置付けられた状態で前記袋が破裂されることにより前記複数の電線の外周に前記止水剤が塗布されることから、高価な設備を用いずに少ない作業数で容易に複数の電線の外周に止水剤を塗布することができる。
【発明を実施するための最良の形態】
【００１５】
（第１の実施形態）
以下、本発明の第１の実施形態に係る止水剤の塗布方法、及び、該塗布方法で用いられる止水部材を図１ないし図７を用いて説明する。図１は、本発明の第１の実施形態にかかる止水剤の塗布方法を説明するための説明図であり、複数の電線が位置決め具により整列された状態を示す説明図である。図２は、図１に示された状態の複数の電線に止水部材が重ねられた状態を示す説明図である。図３は、図２に示された状態の止水部材の袋が工具によって破裂される様子を示す説明図である。図４は、図３に示された止水部材の袋内に充填された止水剤が、複数の電線の外周に塗布された状態を示す説明図である。図５は、図３に示された止水部材の製造方法を説明するための説明図であり、止水剤供給ノズルに袋の充填口が装着され、袋内に止水剤が充填される様子を示す説明図である。図６は、図５に示された袋内に止水剤が満充填されて、袋の内圧が高くなった状態を示す説明図である。図７は、図６に示された袋の端部が片結びされて、袋の充填口が閉じられた状態を示す説明図である。
【００１６】
本発明の止水剤の塗布方法は、電線束の各電線間から液体が伝うことを防止するために、複数の電線の外周に止水剤を塗布する止水剤の塗布方法である。また、本実施形態で説明する前記電線束は、図１５と同様に、自動車の室内と室外とを仕切るパネルの取付孔に嵌め込まれたグロメットに通されるものである。本実施形態では、この電線束のうち、前記グロメットの内側に位置付けられる部分に止水剤を塗布する方法について説明する。
【００１７】
また、本発明の説明における『止水』は、水の浸入を阻止することに限らず、水、油、アルコール、等を含む液体全般に有効に作用することを意味するが、ここでは一般的に名称として広く用いられている『止水』を用いて説明する。
【００１８】
上記電線束に止水剤を塗布するには、まず、図１に示すように、前記電線束を構成する複数の電線２の前記グロメットの内側に位置付けられる部分を互いに散らして位置付ける。また、「電線を散らす」とは、複数の電線２が１束に固まらないように、これら電線２を整列させるか、互いに間隔をあけて位置付けることを意味する。
【００１９】
また、複数の電線２を互いに散らして位置付ける際、本実施形態では、互いに間隔をあけて設けられた一対の位置決め具３を用いて複数の電線２を上下一列に整列させる。また、前記位置決め具３は、Ｕ字状に設けられて複数の電線２を挟むＵ字部３１を有しており、台座などに設置されている。
【００２０】
そして、図２に示すように、上下一列に整列された複数の電線２に、止水部材１Ａを重ねる。この止水部材１Ａは、ゴムにより細長い袋状に構成された袋６内に止水剤７が充填されているとともに前記袋６が密閉されたものである。このような止水部材１Ａを、その長手方向の中央部が最上部に位置する電線２に触れるとともにその長手方向の両端部が最下部に位置する電線２に触れるように二つ折りにして複数の電線２に重ねる。
【００２１】
そして、図３に示すように、止水部材１Ａの袋６の前記中央部を、先の尖った工具４で突き破ることによりこの袋６を破裂させる。このことにより、袋６内の止水剤７が飛び出して複数の電線２の外周に止水剤が塗布される。こうして、図４に示すように、複数の電線２の前記グロメットの内側に位置付けられる部分に、止水剤７が塗布された止水剤付着部５が形成される。
【００２２】
上述したように止水剤７が塗布されて、止水剤付着部５が形成された複数の電線２は、図示しないシートやテープによって巻き締められて束状に整形され、所定の硬化時間が置かれて止水剤７が硬化された後、前記グロメットに通される。このように止水処理が施された電線束は、各電線２間が止水剤７により止水されていることにより、自動車の室外から室内に水などの液体が侵入することが防止される。
【００２３】
また、上記止水剤７としては、一液型シリコーンＲＴＶを用いることが好ましい。この一液型シリコーンＲＴＶは、接着剤として主に使用されている材料であり、常温下において湿気に反応して硬化を開始するものである。また、この一液型シリコーンＲＴＶの粘度は、１００００〜１０００００Ｐａ・ｓである。
【００２４】
また、上記袋６を構成するゴムとしては、ＮＲ（天然ゴム）、ＳＢＲ（スチレンブタジエンゴム）、ＢＲ（ブタジエンゴム）、ＩＲ（イソプレンゴム）、ＩＩＲ（ブチルゴム）等の伸縮性に優れた材料を用いることが好ましい。
【００２５】
また、工具４により袋６が突き破られた際に袋６内の止水剤７が飛び出す、即ちはじけ飛ぶ、には、袋６の内圧が高い状態であることが必要である。このように袋６の内圧を高くするには、次のようにして止水部材１Ａを製造する。
【００２６】
まず、上述した材料によって長手方向の一端部に充填口、即ち開口部、が設けられた袋６を製造する。そして、図５に示すように、袋６の充填口を止水剤供給ノズル１０に装着し、この止水剤供給ノズル１０から袋６内に止水剤７を充填する。そして、袋６内が止水剤７で満たされた後も止水剤供給ノズル１０から止水剤７の供給を続けることにより、図６に示すように、袋６が膨張されて内圧が高くなる。
【００２７】
そして、図６に示すように袋６内に止水剤７が満充填されて内圧が高くなった状態で、袋６の充填口が止水剤供給ノズル１０から取り外されて、該袋６の一端部が片結びされる。このことにより、前記充填口が閉じられて袋６が密閉される。また、袋６内に充填される止水剤７の量は、１回の止水剤塗布工程に用いられる量であることが好ましい。このことにより、止水剤７を無駄無く使い切ることができる。こうして、止水部材１Ａが製造される。
【００２８】
このように本発明によれば、構成が複雑かつ高価な設備（従来例の図１６を参照。）を用いずに容易に複数の電線２の外周に止水剤７を塗布することができるので、設備にかかるコストを低くすることができる。また、従来の設備で行う必要があった止水剤塗布装置のノズルの拭き取り作業をなくすことができ、作業数を減らすことができる。さらに、１回の止水剤塗布工程に用いられる止水剤７が止水部材１Ａとして部品化されていることから、従来の問題であった開封後のペール缶の管理が必要なくなる。したがって、容易に止水剤７を複数の電線２の外周に塗布することができる。
【００２９】
また、本発明では、止水部材として、上述した第１の実施形態の止水部材１Ａの他、例えば、図８及び図９に示す止水部材１Ｂを用いることができる。図８は、本発明の止水部材の変形例を示す概略説明図である。図９は、図８に示された止水部材を構成するクリップを示す概略説明図である。また、これらの図において、上述した第１の実施形態と同一構成部分には同一符号を付して説明を省略する。
【００３０】
上記止水部材１Ｂは、止水剤７が満充填された袋６の一端部が、片結びされる代わりにクリップ８で挟まれた構成となっている。このクリップ８は、合成樹脂などで構成され、図９（ａ）（ｂ）に示すように、互いの間に袋６の一端部を挟み込んだ状態で互いに係合する一対の板状の部材８１，８２と、これら一対の板状の部材８１，８２の一端部同士を連結したヒンジ８３と、を有している。
【００３１】
このようにクリップ８を用いて袋６の一端部を閉じるようにすることで、止水部材１Ｂの製造作業を自動化することも可能になる。
【００３２】
（第２の実施形態）
続いて、本発明の第２の実施形態に係る止水剤の塗布方法を図１０を用いて説明する。図１０は、本発明の第２の実施形態にかかる止水剤の塗布方法を説明するための説明図であり、位置決め具により整列された複数の電線に止水部材が重ねられた状態を示す説明図である。また、同図において、上述した第１の実施形態と同一構成部分には同一符号を付して説明を省略する。
【００３３】
本実施形態の止水剤の塗布方法は、図２に示すように、複数の電線２の前記グロメットの内側に位置付けられる部分を上下一列に整列させ、止水部材１Ａをその長手方向の中央部が最上部に位置する電線２に触れるとともにその長手方向の両端部が最下部に位置する電線２に触れるように二つ折りにして複数の電線２に重ねる。そして、図１０中に点線で示すように、止水部材１Ａの袋６の一端部から他端部までを、先の尖った工具で切り裂くことによりこの袋６を破裂させる。このことにより、袋６内の止水剤７が飛び出して複数の電線２の外周に止水剤が塗布される。
【００３４】
（第３の実施形態）
続いて、本発明の第３の実施形態に係る止水剤の塗布方法を図１１及び図１２を用いて説明する。図１１は、本発明の第３の実施形態にかかる止水剤の塗布方法を説明するための説明図であり、台上に互いに間隔をあけて位置付けられた複数の電線に止水部材が重ねられた状態を示す説明図である。図１２は、図１１に示された状態の止水部材の袋が強圧されて破裂される様子を説明する説明図である。また、これらの図において、上述した第１，２の実施形態と同一構成部分には同一符号を付して説明を省略する。
【００３５】
本実施形態の止水剤の塗布方法は、図１１に示すように、複数の電線２の前記グロメットの内側に位置付けられる部分を、挟持部材としての台２０上に互いに間隔をあけて位置付け、これら電線２の上下を挟む格好で止水部材１Ａを二つ折りにして複数の電線２に重ねる。そして、図１２に示すように、挟持部材としての押圧板２１を用いて、止水部材１Ａと複数の電線２とを台２０に向かって強圧する。このことにより、止水部材１Ａの袋６が破裂し、袋６内の止水剤７が飛び出して複数の電線２の外周に止水剤が塗布される。
【００３６】
また、上記押圧板２１を台２０に向かって近付ける動作または遠ざける動作は、手作業で行っても良く、機械駆動で行っても良い。また、本実施形態では、台２０が固定されているとともに押圧板２１が移動可能に設けられているが、本発明では、これら台２０と押圧板２１とは、少なくともいずれか一方が移動可能に設けられていれば良く、双方が移動可能に設けられていても良い。
【００３７】
（第４の実施形態）
続いて、本発明の第４の実施形態に係る止水剤の塗布方法を図１３を用いて説明する。図１３は、本発明の第４の実施形態にかかる止水剤の塗布方法を説明するための説明図であり、互いに間隔をあけて位置付けられた複数の電線に止水部材が巻き付けられた状態を示す説明図である。また、同図において、上述した第１〜３の実施形態と同一構成部分には同一符号を付して説明を省略する。
【００３８】
本実施形態の止水剤の塗布方法は、図１３に示すように、複数の電線２の前記グロメットの内側に位置付けられる部分を、互いに間隔をあけた状態で整列させ、これら間隔をあけて位置付けられた電線２間に止水部材１Ａを通して該止水部材１Ａを各電線２に巻き付ける。そして、この止水部材１Ａの袋６を、先の尖った工具で突き破るまたは切り裂くことによりこの袋６を破裂させる。このことにより、袋６内の止水剤７が飛び出して複数の電線２の外周に止水剤が塗布される。
【００３９】
このように止水部材１Ａを各電線２に巻き付けた後に袋６を破裂させることにより、袋６内の止水剤７が確実に電線２の外周に行き渡るようになる。
【００４０】
（第５の実施形態）
続いて、本発明の第５の実施形態に係る止水剤の塗布方法を図１４を用いて説明する。図１４は、本発明の第５の実施形態にかかる止水剤の塗布方法を説明するための説明図であり、球状に設けられた止水部材が、互いに間隔をあけて散らされた複数の電線に囲まれるように位置付けられた状態を示す説明図である。また、同図において、上述した第１〜４の実施形態と同一構成部分には同一符号を付して説明を省略する。
【００４１】
本実施形態の止水剤の塗布方法は、図１４に示すように、複数の電線２の前記グロメットの内側に位置付けられる部分を、互いに間隔をあけて散らして鳥かご状に膨らませる。そして、この鳥かご状の複数の電線２の中心位置に、球状の止水部材１Ｃを位置付ける。そして、この止水部材１Ｃの袋６’の最上部を先の尖った工具４で突き破ることによりこの袋６’を破裂させる。このことにより、袋６’内の止水剤７が飛び出して複数の電線２の外周に止水剤が塗布される。
【００４２】
また、前記止水部材１Ｃは、上述したゴムにより外形が球状に構成されるとともに袋状に構成された袋６’と、袋６’内に充填された止水剤７と、を有し、袋６’の充填口が閉じられて密閉されたものである。
【００４３】
このように本発明では、止水部材１Ａ，１Ｂ，１Ｃの袋６，６’の形状は、細長い棒状であっても良く、球状であっても良く、その他如何なる形状であっても良い。即ち、本発明では、複数の電線２の近傍で止水部材１Ａ，１Ｂ，１Ｃの袋６，６’を破裂させることを主旨としており、袋６，６’の形状や、袋６，６’の破裂のさせ方や、袋６，６’と複数の電線２との配置関係などは、上述した実施形態に限定されない。
【００４４】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４５】
【図１】本発明の第１の実施形態にかかる止水剤の塗布方法を説明するための説明図であり、複数の電線が位置決め具により整列された状態を示す説明図である。
【図２】図１に示された状態の複数の電線に止水部材が重ねられた状態を示す説明図である。
【図３】図２に示された状態の止水部材の袋が工具によって破裂される様子を示す説明図である。
【図４】図３に示された止水部材の袋内に充填された止水剤が、複数の電線の外周に塗布された状態を示す説明図である。
【図５】図３に示された止水部材の製造方法を説明するための説明図であり、止水剤供給ノズルに袋の充填口が装着され、袋内に止水剤が充填される様子を示す説明図である。
【図６】図５に示された袋内に止水剤が満充填されて、袋の内圧が高くなった状態を示す説明図である。
【図７】図６に示された袋の端部が片結びされて、袋の充填口が閉じられた状態を示す説明図である。
【図８】本発明の止水部材の変形例を示す概略説明図である。
【図９】図８に示された止水部材を構成するクリップを示す概略説明図である。
【図１０】本発明の第２の実施形態にかかる止水剤の塗布方法を説明するための説明図であり、位置決め具により整列された複数の電線に止水部材が重ねられた状態を示す説明図である。
【図１１】本発明の第３の実施形態にかかる止水剤の塗布方法を説明するための説明図であり、台上に互いに間隔をあけて位置付けられた複数の電線に止水部材が重ねられた状態を示す説明図である。
【図１２】図１１に示された状態の止水部材の袋が強圧されて破裂される様子を説明する説明図である。
【図１３】本発明の第４の実施形態にかかる止水剤の塗布方法を説明するための説明図であり、互いに間隔をあけて位置付けられた複数の電線に止水部材が巻き付けられた状態を示す説明図である。
【図１４】本発明の第５の実施形態にかかる止水剤の塗布方法を説明するための説明図であり、球状に設けられた止水部材が、互いに間隔をあけて散らされた複数の電線に囲まれるように位置付けられた状態を示す説明図である。
【図１５】パネルの取付孔にグロメットが嵌め込まれ、該グロメットに従来の止水処理が施された電線束が通された状態を示す断面図である。
【図１６】従来の止水剤塗布方法を説明するための説明図であり、図１５に示された電線束を構成する各電線の外周に止水剤を塗布する様子を示す説明図である。
【符号の説明】
【００４６】
１Ａ，１Ｂ，１Ｃ  止水部材
２  電線
４  工具
６，６’  袋
７  止水剤
２０  台（挟持部材）
２１  押圧板（挟持部材）
【図１】
2009211911.tif 000003
【図２】
2009211911.tif 000004
【図３】
2009211911.tif 000005
【図４】
2009211911.tif 000006
【図５】
2009211911.tif 000007
【図６】
2009211911.tif 000008
【図７】
2009211911.tif 000009
【図８】
2009211911.tif 000010
【図９】
2009211911.tif 000011
【図１０】
2009211911.tif 000012
【図１１】
2009211911.tif 000013
【図１２】
2009211911.tif 000014
【図１３】
2009211911.tif 000015
【図１４】
2009211911.tif 000016
【図１５】
2009211911.tif 000017
【図１６】
2009211911.tif 000018